(57)【特許請求の範囲】
【請求項１】
筐体内に回動可能に設けた送出リールから供給され、該筐体から露出した転着部材を介して、該筐体内に回動可能に設けた巻取リールへと巻き取られる帯状フィルムに、その一面が貼着され、該転着部材によってその他面が被転写体に転写される塗膜であって、通常部の厚みに対して５〜５０％の厚みとされると共に該通常部の送出方向に対して２０〜７０％の長さとされ、該通常部を破断すると共に被転写体及び貼着体との貼着をも行う切離部を、該通常部との間に間欠的に設けたことを特徴とする塗膜。
【発明の詳細な説明】
【０００１】
【発明の属する技術分野】
本発明は、被転写体と貼着体とを貼り付ける際に用いられ、塗膜が必要量以上に消費されることなく適所で確実に破断することができる塗膜に関するものである。
【０００２】
【従来の技術】
被転写体と他の貼着体とを塗膜によって貼り付ける塗膜転写具としては、例えば図３に示すものがある。図３に示す塗膜転写具３１は、筐体３２内に、表面に塗膜Ｐが貼着された状態の帯状フィルムＦを巻装した送出リール３３と、この送出リール３３から送り出された帯状フィルムＦを巻き取る巻取リール３４とを枢支し、送出リール３３から巻取リール３４に至る該筐体３２の一端部に開口３２ａが形成され、この開口３２ａに、帯状フィルムＦを送出ローラ３３から巻取ローラ３４へと送ると共に被転写体Ｔに対して塗膜Ｐを転着する転着ローラ３５を露出した状態で設けている。
【０００３】
上記構成の塗膜転写具３１は、被転写体Ｔに転着ローラ３５を押し当てて、図示実線矢印方向に移動させることで、該転着ローラ３５の回転によって帯状フィルムＦが送出リール３３から巻取リール３４へと送られる。帯状フィルムＦが送出リール３３から巻取リール３４へと送られる際、転着ローラ３５により帯状フィルムＦの表面側に貼着された塗膜Ｐが被転写体Ｔに転写され、該帯状フィルムＦから剥離する。塗膜Ｐは、片面が被転写体Ｔに転写され、他面に他の貼着体が貼着され、これにより被転写体Ｔと貼着体との貼り付けが行われる。
【０００４】
図３に示すような塗膜転写具３１は、転着ローラ３５により塗膜Ｐを被転写体Ｔに転着し、帯状フィルムＦから塗膜Ｐが剥離した際、塗膜Ｐの粘着力によって該塗膜Ｐが破断せず、被転写体Ｔと帯状フィルムＦとの間で糸を引いたように伸びて、最終的には被転写体Ｔ側又は帯状フィルムＦ側で破断し、伸びた部分が被転写体Ｔ側又は帯状フィルムＦ側で集中的に収縮して団子状になってしまうといった不具合があった。
【０００５】
伸びた塗膜Ｐが、破断して被転写体Ｔ側又は帯状フィルムＦ側で団子状となると、被転写体Ｔ側で塗膜Ｐが団子状になった際には該被転写体Ｔと貼着体との張り合わせ面に厚みが生じ、また、帯状フィルムＦ側で塗膜Ｐが団子状になった際には、この団子状となった部分が次の使用時に被転写体Ｔに転写され、上記同様に被転写体Ｔと貼着体との張り合わせ面に厚みが生じ、また、使用時に塗膜Ｐが帯状フィルムＦからきれいに剥離しないといった不具合があった。
【０００６】
そこで、従来では、図４に示すように、送出方向に５mm程度に分割した塗膜Ｐを、送出方向に所定間隔、例えば２〜３mm離間させて帯状フィルムＦ上に配置し、このように予め塗膜Ｐを分割しておくことで、上記不具合を解消するようにしていた。
【０００７】
【発明が解決しようとする課題】
しかしながら、従来の塗膜では、塗膜が送出方向で分割されていたために、筐体内において送出リールから送り出される際に、分割された塗膜が帯状フィルムから剥離してしまうといった不具合や、また、被転写体と貼着体とを貼着する際には、塗膜が連続していないために粘着強度が低く、貼着体が剥がれ易いといった不具合があった。
【０００８】
また、従来の塗膜では、塗膜が送出方向で送出方向の長さが５mmで、しかもその間隔が２〜３mmという分割設定であったために、例えば２．５mm程度の細かい部分に塗膜を転着する場合、塗膜が仮に転着されたとしても、この塗膜が存在する部分では、２．５mmが被転写体に転着されるものの、残りの２．５mmが破断せず、上記と同様な不具合が発生し、また、塗膜との間の２〜３mm、つまり塗膜が存在しない部分では、塗膜が被転写体に転着せず、結果として塗膜の存在する部分に帯状フィルムを空送りしてから、改めて塗膜を２．５mm程度転着する手間が生じるばかりか、一度に狙った箇所に塗膜を転着することができず、さらには、上記したように塗膜がきれいに破断しないといった不具合が生じる。
【０００９】
本発明は、上記した不具合を解消するためになされたものであり、必要量だけ被転写体に塗膜が転写された後に適所にて容易に塗膜を破断することができる塗膜を提供することを目的としている。
【００１０】
【課題を解決するための手段】
上記した目的を達成するために、本発明は、通常部の厚みに対して５〜５０％の厚みとすると共に該通常部の送出方向に対して２０〜７０％の長さとし、通常部を破断すると共に被転写体及び貼着体との貼着をも行う切離部を、該通常部との間に間欠的に設けたのである。このようにすれば、塗膜は、被転写体に連続的に転着されることとなり、また、切離部において被転写体と該帯状フィルムとの間で伸びようとする塗膜が容易に破断するので、塗膜が必要量以上に帯状フィルムから剥離することがない。
【００１１】
【発明の実施の形態】
本発明の塗膜は、筐体内に回動可能に設けた送出リールから供給され、該筐体から露出した転着部材を介して、該筐体内に回動可能に設けた巻取リールへと巻き取られる帯状フィルムに、その一面が貼着され、該転着部材によってその他面が被転写体に転写される塗膜であって、通常部の厚みに対して５〜５０％の厚みとされると共に該通常部の送出方向に対して２０〜７０％の長さとされ、前記通常部を破断すると共に被転写体及び貼着体との貼着をも行う切離部を、該通常部との間に間欠的に設けたものである。
【００１２】
上記の構成によれば、切離部が、通常部の厚みに対して５％未満の厚みである場合には、破断し易くなるものの、被転写体に転着した塗膜に貼着体が確実に貼着されないといった不具合が生じ、また、通常部の厚みに対して５０％より厚い場合には、被転写体に転着した塗膜に貼着体が確実に貼着されるものの、破断しにくいといった不具合が生じた。
【００１３】
従って、本発明の塗膜は、切離部を、通常部の厚みに対して５〜５０％の厚みとし、該通常部との間に間欠的に設けたのであり、こうすることにより、破断し易く、かつ、被転写体に転着した塗膜に貼着体を確実に貼着することができる。
【００１４】
また、本発明の塗膜は、上記構成において、切離部の送出方向の長さを通常部の送出方向の長さに対して２０〜７０％としている理由は以下の通りである。
【００１５】
すなわち、切離部の長さが、通常部の送出方向の長さに対して１０％未満の場合には、切離部が短かいので、被転写体に転着した塗膜に貼着体が確実に貼着されるものの、破断しにくいといった不具合が生じ、また、通常部の送出方向の長さに対して１００％より大きい場合には、切離部が長すぎて、この切離部自体が容易に破断しないといった不具合が生じた。
【００１６】
従って、本発明の塗膜は、上記に基づいて、望ましい範囲、つまり切離部の長さを通常部の送出方向の長さに対して２０〜７０％とした。こうすることにより、確実に必要量のみを破断することができる。
【００１７】
【実施例】
以下、本発明の塗膜転写具の実施例について図１、図２を参照して説明する。図１は、本発明の塗膜が使用される塗膜転写具を示す中央縦断面図である。図２は、本発明の塗膜の詳細を示す拡大図である。
【００１８】
図において、１は、被転写体Ｔに本発明の塗膜Ｐを転写する塗膜転写具であり、以下の構成とされている。２は、塗膜転写具１の外形を構成し、後述の部材を収納した筐体であり、この筐体２は、図示する状態では中央縦で２分割した一方のみを示している。また、筐体２は、その一端部に開口２ａが形成されている。
【００１９】
３は、表面側に塗膜Ｐが貼着された帯状フィルムＦを巻装した送出リールであり、この送出リール３は、筐体２内で開口２ａから奥方に位置し、軸３ａによって回転可能に枢支されている。４は、送出リール３から送り出された帯状フィルムＦを巻き取る巻取リールであり、この巻取リール４は、筐体２内で送出リール３より開口２ａ側に位置し、軸４ａによって回転可能に枢支されている。
【００２０】
５は、開口２ａから露出した状態で設けた転着ローラであり、この転着ローラ５は、送出リール３から巻取リール４に至る帯状フィルムＦの送出経路の途中箇所に位置し、転着ローラ５を被転写体Ｔに押し付け、図示実線矢印方向に筐体２を移動させることで、帯状フィルムＦを送出リール３から巻取リール４へと送ると共に、塗膜Ｐを被転写体Ｔに転写させる。
【００２１】
７は、送出リール３及び巻取リール４の図示裏面側に設けたギヤ（不図示）と噛合する連動ギヤであり、この連動ギヤ７は、送出リール３による帯状フィルムＦ及び塗膜Ｐの送り出し速度と、巻取リール４による帯状フィルムＦの巻き取り速度の同期を図る。
【００２２】
上記塗膜転写具１に使用される本発明の塗膜Ｐは、例えば帯状フィルムＦとしては、グラシン紙、セロハンフィルム、アセテートフィルム、ポリエステルフィルム、ポリプロピレンフィルム、ポリエチレンフィルム、ポリイミドフィルム、ナイロンフィルム、等のフィルムを使用すればよく、また、これらのフィルムの片面又は両面にシリコン樹脂、フッ素樹脂、ワックス類、ポリエチレン樹脂等の離型層を設けたフィルムを使用してもよい。
【００２３】
塗膜Ｐは、例えば、天然ゴム、スチレン、ブタジエン共重合体、ブタジエン重合体、クロロプレン共重合体、等のジエン系や、アクリル酸エステル共重合体、ビニルエーテル共重合体、ＥＶＡ等のエチレニック系や、ポリウレタン、シリコン樹脂等の縮合系の高分子を溶剤に溶解したり、エマルジョンの形で使用する素材、その中でも、アクリル系のエマルジョンを使用すれば好ましい結果を得ることができる。
【００２４】
こうした帯状フィルムＦに貼着された塗膜Ｐは、例えば図２に示すように、通常部Ｐ１の厚みが例えば０．０２mmとされており、この通常部Ｐ１，Ｐ１間に切離部Ｐ２が間欠的に設けられている。切離部Ｐ２は、該通常部Ｐ１の厚みに対して５０％の厚み、すなわち０．０１mmとされ、また、通常部Ｐ１の送出方向の長さが２．０mmのとき、この通常部Ｐ１の長さに対して５０％の長さ、すなわち１．０mmとされている。
【００２５】
塗膜Ｐは、通常部と切離部を設けたグラビアロールを使用したり、切離部を設けたグラビアロールを使用して、撥水、撥油剤を塗布した帯状フィルムＦに対して塗膜Ｐを貼着するようにすればよい。なお、撥水、發油剤としては、日本油脂株式会社の「モディパー  Ｆ−１００」、「モディパー  Ｆ−１１０」、「モディパー  Ｆ−２００」、「モディパー  Ｆ−２１０」、旭硝子株式会社の「アサヒガード」、「サーフロン」、ダイキン工業株式会社の「テックスガード」、大日本インキ化学工業の「デックガード」、「ディフェンサ」や、界面活性剤、シリコン樹脂、フッ素系の離型剤を使用すればよい。
【００２６】
次に、上記構成の塗膜Ｐの作用効果について説明する。
塗膜転写具１は、転着ローラ５を被転写体Ｔに押し付けた状態で筐体２を図示実線矢印方向に移動させると、被転写体Ｔとの摩擦抵抗で転着ローラ５が回転し、これにより塗膜Ｐを貼着した状態の帯状フィルムＦが送出リール３から送り出され、転着ローラ５と被転写体Ｔとの押し付け箇所にて、塗膜Ｐが被転写体Ｔに転着されると共に、塗膜Ｐの剥離した状態の帯状フィルムＦが巻取リール４へ送られ、塗膜Ｐの剥離した帯状フィルムＦは巻取リール４に順次巻き取られる。
【００２７】
そして、被転写体Ｔに塗膜Ｐを転写した後、転着ローラ５を被転写体Ｔから離間させるように筐体２を上方に移動させると、塗膜Ｐはその粘着力で糸を引いたように伸びるときがあるが、このような状況のときには、速やかに切離部Ｐ２と通常部Ｐ１とが破断し、従ってこの位置より帯状フィルムＦの送出方向上流へ向かう帯状フィルムＦと塗膜Ｐとの剥離が防止される。
【００２８】
このように、塗膜Ｐは、送出方向に連続して通常部Ｐ１、切離部Ｐ２を順に配置したので、塗膜Ｐは、切離部Ｐ２で容易に通常部Ｐ１と破断し、従って必要以上に帯状フィルムＦから該塗膜Ｐが剥離することを確実に防止することができると共に、狙った位置から確実に塗膜Ｐを転着させることができ、さらには、転着開始位置から確実に貼着体を貼着することが可能となる。また、切離部Ｐ２は、単に通常部Ｐ１との破断のために設けているのではなく、その厚みも送出方向の長さも、被転写体Ｔ及び貼着体との貼着が確実に行えるように設定されているので、切離部Ｐ２が無駄となることがない。
【００２９】
また、上記実施例において、本発明の塗膜Ｐを転着する転着ローラ５は、これに限らず、例えば舌片状に形成したものを採用してもよく、このようにした場合においても、塗膜Ｐは、その貼着作用を低減させることなく、確実に破断することができ、上記と同等の作用効果を得ることができる。
【００３０】
なお、本発明は、上記実施例に限定されず種々の変形が可能であり、例えば切離部Ｐ２の厚みは、被転写体Ｔに塗膜Ｐを転着した状態で、被転写体Ｔ側を基準、つまり貼着体が貼着される側に窪んだ（図２に示す状態で下面で面一）状態としているが、この逆、すなわち、被転写体Ｔ側に窪んだ（図２に示す状態で上面で面一）状態としてもよい。このようにすれば、上記同様に破断することに加え、貼着体と被転写体との貼着が上記実施例に較べてより確実となる。
【００３１】
【発明の効果】
以上説明したように、本発明の塗膜は、通常部の厚みに対して５〜５０％の厚みとして通常部を破断すると共に被転写体及び貼着体との貼着をも行う切離部を、該通常部との間に間欠的に設けたので、被転写体に転着した後の塗膜が容易に破断すると共に被転写体に転着した塗膜と、貼着体とを確実に貼着することができ、また、被転写体において狙った位置から確実に塗膜を転着させることができる。
【００３２】
さらに、上記した本発明の塗膜においては、切離部の送出方向の長さを、通常部の送出方向の長さに対してを２０〜７０％としているので、確実に塗膜を破断することができると共に、塗膜を介して被転写体と貼着体とをより確実に貼着することもできる。
【図面の簡単な説明】
【図１】本発明の塗膜を使用する塗膜転写具の構成を示すために、縦中央で２分割した筐体の一方を取り外した状態の図である。
【図２】本発明の塗膜を被転写体に転着した状態を示し、（ａ）は斜視図、（ｂ）は中央縦断面図、（ｃ）は（ｂ）の一部を拡大した図である。
【図３】従来の、通常の塗膜を使用した場合の塗膜転写具の使用状況を示し、該塗膜転写具を縦中央で２分割した筐体の一方を取り外した状態の図である。
【図４】従来の塗膜を被転写体に転着した状態の斜視図である。
【符号の説明】
Ｐ      塗膜
Ｐ１    通常部
Ｐ２    切離部
Ｆ    帯状フィルム
Ｔ    被転写体
【図１】
0003836262.tif 000002
【図２】
0003836262.tif 000003
【図３】
0003836262.tif 000004
【図４】
0003836262.tif 000005